【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
それらの間に配置された工作物（１０）を加工するために互いに対して運動可能な上部工具（１１）および下部工具（９）を有し、前記上部工具（１１）は少なくとも１つの切断縁部（３８）およびクランプシャフト（３４）を有する少なくとも１つの切断工具（３７）を含み、および前記上部工具（１１）は位置軸（３５）を備え、分離後に生成された工作物部品（８１）を開口部（４６）を通して下方に排除するために、前記下部工具（９）が中にある対抗切断縁部（５１）に割り当てられた前記開口部（４６）を有する前記工作物（１０）用の台面（４７）を有する基体（４１）を含み、前記下部工具（９）は位置軸（４８）を備え、少なくとも１つの前記開口部（４６）の外に設けられ前記台面（４７）に割り当てられた外にある対抗切断縁部（５２）を有し、前記外にある対抗切断縁部（５２）が前記台面（４７）を画成する前記台面（４７）の外面に配向され、前記外にある対抗切断縁部（５２）の前記下部工具（９）の前記基体（４１）の前記位置軸（４８）への間隔および前記中にある対抗切断縁部（５１）の前記下部工具（９）の前記基体（４１）の前記位置軸（４８）への間隔が互いから逸脱することを特徴とする板状工具（１０）の切断または変形または切断かつ変形のための工具。
【請求項２】
前記下部工具（９）の前記基体（４１）中の前記開口部（４６）の大きさが、前記上部工具（１１）の前記少なくとも１つの切断工具（３７）の前面（４０）の数倍または少なくとも１．５倍または少なくとも２倍であることを特徴とする請求項１に記載の工具。
【請求項３】
前記中にあるおよび外にある対抗切断縁部（５１、５２）がそれぞれ開いた切断縁部として形成されることを特徴とする請求項１に記載の工具。
【請求項４】
前記下部工具（９）の前記中にあるおよび外にある対抗切断縁部（５１、５２）が互いに向き合って前記台面（４７）に位置付けされ角度のずれなく互いに対して配向されること、または前記下部工具（９）の前記中にあるおよび外にある対抗切断縁部（５１、５２）が角度で互いに対してずれて前記下部工具（９）の前記台面（４７）に配向されることを特徴とする請求項１に記載の工具。
【請求項５】
前記下部工具（９）の前記対抗切断縁部（５１、５２）が少なくとも１つの解除可能に前記下部工具（９）の前記基体（４１）に配置された切断板（４９）として形成されるか、または前記対抗切断縁部（５１、５２）が前記基体（４１）でそれ自体形成されていることを特徴とする請求項１に記載の工具。
【請求項６】
前記中または前記外またはその両方にある対抗切断縁部（５１、５２）に前記下部工具（９）の前記台面（４７）に対置され下方を向く打ち抜き面（５６）が接続することを特徴とする請求項１に記載の工具。
【請求項７】
少なくとも１つの前記対抗切断縁部（５１、５２）に隣接して片側または両側に少なくとも１つの保護縁（５９）が設けられることを特徴とする請求項１に記載の工具。
【請求項８】
前記中にある対抗切断縁部（５１）が前記開口部（４６）の中に突出しておよび開口部縁に対して軸方向内側に突起して形成されること、および前記開口部（４６）を前記下部工具（９）の前記台面（４７）で画成する縁部が前記中にある対抗切断縁部（５１）として形成されることを特徴とする請求項１に記載の工具。
【請求項９】
前記下部工具（９）の前記基体（４１）に、前記基体（４１）に対して少なくとも１つの前記外にある対抗切断縁部（５２）として突起して形成され好ましくは前記基体（４１）に解除可能に固定可能であるアダプタ板（６１）に設けられる１つまたは複数の副切断縁部が解除可能に固定可能であることを特徴とする請求項１に記載の工具。
【請求項１０】
前記下部工具（９）の前記位置軸（４８）が前記基体（４１）中の前記開口部（４６）内にあること、および前記上部工具（１１）の前記切断工具（３７）が前記位置軸（３５）に対して中心または中心外またはその両方に位置付けられることを特徴とする請求項１に記載の工具。
【請求項１１】
前記下部工具（９）の中または外またはその両方にある対抗切断縁部（５１、５２）に前記下部工具（９）の前記基体（４１）に解除可能に固定された排出面（５５）が割り当てられることを特徴とする請求項１に記載の工具。
【請求項１２】
少なくとも前記下部工具（９）の前記台面（４７）を画成する外縁部が丸みを帯びているか面取りされるか、または前記台面（４７）が前記外にある対抗切断縁部（５２）まで延在する搬送傾斜（５８）を備えることを特徴とする請求項１に記載の工具。
【請求項１３】
前記上部工具（１１）が複数の前記切断工具（３７）を備え、それにおいて前記切断工具（３７）が個々に工作物加工のための起動装置（７５）によって起動可能な多機能工具として形成されることを特徴とする請求項１に記載の工具。
【請求項１４】
ストローク軸（１４）に沿ってストローク駆動装置（１３）により上部工具（１１）によって加工されるべき工作物（１０）の方向およびその反対方向に運動可能であり、前記ストローク軸（１４）に垂直に延在する上部位置付け軸（１６）に沿って位置付け可能であり、モータ駆動装置（１７）により前記上部位置付け軸（１６）に沿って移動可能である前記上部工具（１１）を有し、前記上部工具（１１）に配向され、下部ストローク軸（３０）に沿ってストローク駆動装置（２７）によって前記上部工具（１１）の方向およびその反対方向に運動可能であり、前記上部工具（１１）の前記ストローク軸（１４）に垂直に配向される下部位置付け軸（２５）に沿って位置付け可能であり、モータ駆動装置（２６）により前記下部位置付け軸（２５）に沿って移動可能である下部工具（９）を有し、それによって前記モータ駆動装置（１７、２６）が前記上部および下部工具（１１、９）の移動のために制御可能である制御（１５）を有し、前記上部工具（１１）の前記上部位置付け軸（１６）に沿った移動および前記下部工具（９）の前記下部位置付け軸（２５）に沿った移動がそれぞれ互いから独立して制御可能であり、請求項１に記載の工作物（１０）の切断または変形または切断かつ変形のための工具（３１）が設けられることを特徴とする、板状工作物（１０）の切断または変形または切断かつ変形のための工具機械。
【請求項１５】
前記工具機械（１）がＣ字型または閉じた機械フレーム（２）を含み、その前記機械フレーム（２）の中の内部空間で前記上部工具（１１）および下部工具（９）が移動可能であることを特徴とする請求項１４に記載の工具機械。
【請求項１６】
ストローク軸（１４）に沿ってストローク駆動装置（１３）により上部工具（１１）によって加工されるべき工作物（１０）の方向および反対方向に運動可能であり、前記ストローク軸（１４）に垂直に延在する上部位置付け軸（１６）に沿って位置付け可能である前記上部工具（１１）が、モータ駆動装置（１７）により前記上部位置付け軸（１６）に沿って移動可能であり、前記上部工具（１１）に配向され、前記上部工具（１１）の前記ストローク軸（１４）に垂直に配向された下部位置付け軸（２５）に沿って位置付け可能である下部工具（９）がモータ駆動装置（２６）により前記下部位置付け軸（２５）に沿って移動され、制御（１５）によって前記モータ駆動装置（１７、２６）が前記上部および下部工具（１１、９）の移動のために制御され、請求項１に記載の工具（３１）が前記工作物（１０）の加工のために使用され、その場合前記上部工具（１１）の前記上部位置付け軸（１６）に沿った移動および前記下部工具（９）の前記下部位置付け軸（２５）に沿った移動がそれぞれ互いから独立して前記制御（１５）によって制御されることを特徴とする、板状工作物（１０）の切断または変形または切断かつ変形のための方法。
【請求項１７】
前記工作物（１０）への切れ目の配向のために、または前記上部工具（１１）の切断縁部（３８）と前記下部工具（９）の中または外またはその両方にある対抗切断縁部（５１、５２）の間の切れ目幅の調節のために、前記上部工具（１１）または前記下部工具（９）またはその両方がそれらの位置軸（３５、４８）を中心とした回動により調節され互いに対して配向され、または前記上部工具（１１）または前記下部工具（９）またはその両方が前記それぞれの位置付け軸（１６、２５）に沿って移動され、または前記上部工具（１１）または前記下部工具（９）またはその両方がそれらの前記位置軸（３５、４８）を中心とした回動の重複および前記位置付け軸（１６、２５）に沿った移動により制御されることを特徴とする請求項１６に記載の方法。
【請求項１８】
前記上部工具（１１）および前記下部工具（９）が切れ目幅の調節または切れ目または残余接続の延在への配向のための互いに対する相対運動によって移動されることを特徴とする請求項１６に記載の方法。
【請求項１９】
良い部分または廃棄部分が寸法で前記下部工具（９）中の前記開口部（４６）より大きい限り、工作物部品（８１）は良い部分または廃棄部分として前記上部工具（１１）の前記切断縁部（３８）の前記下部工具（９）の前記外にある対抗切断縁部（５２）への配向によって切り抜かれ、寸法で前記下部工具（９）中の前記開口部（４６）より小さい良い部分または廃棄部分が、前記上部工具（１１）の前記切断縁部（３８）の前記下部工具（９）の前記中にある対抗切断縁部（５１）への配向によって切り抜かれ前記開口部（４６）を通じて排出されることを特徴とする請求項１６に記載の方法。
【請求項２０】
前記下部工具（９）の前記外または中またはその両方にある対抗切断縁部（５１、５２）が前記工作物（１０）の前記上部工具（１１）と前記下部工具（９）の間での移動の際、前記下部工具（９）の前記位置軸（４８）を中心に回動し、前記下部工具（９）の前記対抗切断縁部（５１、５２）が前記工作物（１０）の移動方向に平行に配向されるように配向されることを特徴とする請求項１６に記載の方法。